(57)【要約】【課題】記録紙の束を中綴じして冊子を製本する際に、ハガキやＣＤポケット等を差し込む場合であっても、記録紙の最適な位置に画像を形成することができる画像形成装置、画像形成プログラム方法および画像形成方法を提供する。【解決手段】２頁分の画像を１枚の記録紙の所定の領域に形成し、当該記録紙を束ね中央の折り目に沿って綴じて冊子を作成するための画像形成装置である。この画像形成装置は、画像が形成される記録紙の画像記録領域を、冊子中央頁から外側頁に行くにつれて、記録紙中央の折り目から外側に向かって所定間隔で移動させて算出する画像記録領域算出手段と、冊子の頁間に差込媒体が差し込まれる場合、この差込媒体が差し込まれる頁以降の冊子外側頁に対して、画像記録領域を補正し、画像記録領域を決定する補正手段と、決定された画像記録領域に画像を形成する画像形成手段とを有する。【選択図】図３
2010111015.tif 000002
【特許請求の範囲】
【請求項１】
２頁分の画像を１枚の記録紙の所定の領域に形成し、当該記録紙を束ね中央の折り目に沿って綴じて冊子を作成するための画像形成装置であって、
画像が形成される記録紙の画像記録領域を、冊子中央頁から外側頁に行くにつれて、記録紙中央の折り目から外側に向かって所定間隔で移動させて算出する画像記録領域算出手段と、
冊子の頁間に差込媒体が差し込まれる場合、当該差込媒体が差し込まれる頁以降の冊子外側頁に対して、前記画像記録領域を補正し、前記画像記録領域を決定する補正手段と、
決定された前記画像記録領域に画像を形成する画像形成手段とを有することを特徴とする画像形成装置。
【請求項２】
前記補正手段は、前記差込媒体が差し込まれる頁以降の冊子外側頁に対して、前記画像記録領域を前記差込媒体の厚さに応じて更に移動させる請求項１に記載の画像形成装置。
【請求項３】
前記補正手段は、前記画像記録領域を移動させたときの移動量が閾値以上である場合、移動量を一定値に固定する請求項１または２に記載の画像形成装置。
【請求項４】
２頁分の画像を１枚の記録紙の所定の領域に記録し、当該記録紙を束ね中央の折り目に沿って綴じて冊子を作成するための画像形成装置によって実行されるプログラムであって、
画像が形成される記録紙の画像記録領域を、冊子中央頁から外側頁に行くにつれて、記録紙中央から外側に向かって所定間隔で移動させて算出する手順（ａ）と、
冊子の頁間に差込媒体が差し込まれる場合、当該差込媒体が差し込まれる頁以降の冊子外側頁に対して、前記画像記録領域を補正し、前記画像記録領域を決定する手順（ｂ）と、
決定された前記画像記録領域に画像を形成する手順（ｃ）とを画像形成装置に実行させることを特徴とする画像形成プログラム。
【請求項５】
請求項４に記載の画像形成プログラムを記録したコンピュータ読み取り可能な記録媒体。
【請求項６】
２頁分の画像を１枚の記録紙の所定の領域に記録し、当該記録紙を束ね中央の折り目に沿って綴じて冊子を作成するための画像形成方法であって、
画像が形成される記録紙の画像記録領域を、冊子中央頁から外側頁に行くにつれて、記録紙中央から外側に向かって所定間隔で移動させて算出するステップ（ａ）と、
冊子の頁間に差込媒体が差し込まれる場合、当該差込媒体が差し込まれる頁以降の冊子外側頁に対して、前記画像記録領域を補正し、前記画像記録領域を決定するステップ（ｂ）と、
決定された前記画像記録領域に画像を形成するステップ（ｃ）とを有することを特徴とする画像形成方法。
【発明の詳細な説明】
【技術分野】
【０００１】
本発明は、記録紙の束を中綴じして冊子を製本するための画像形成装置に関する。
【背景技術】
【０００２】
最近、複写機やプリンタ等の画像形成装置は機能が多機能化されている。
【０００３】
例えば、画像形成装置に自動原稿搬送装置（ＡＤＦ）を装着することにより、ＡＤＦの載置台に載置した大量の原稿を自動的に１枚毎に搬送し、スキャナー部で原稿の画像情報を読み取り、連続して記録紙の片面または両面に複写することができるものがある。
【０００４】
また、画像形成装置には、フィニッシャと呼ばれる後処理装置を装着することにより、画像形成装置から排紙された記録紙を１部ごとに綴じたり、折り畳んだり、ソートしたり、製本作業まですることができるものもある。
【０００５】
製本作業では、パーソナルコンピュータ（ＰＣ）から送信される画像情報や、ＡＤＦを利用して読み取った画像情報に基づいて画像を記録紙に複写し、複写された記録紙を中綴じ（週刊誌綴じともいう。）し、冊子を作成する（中綴じ製本）。
【０００６】
中綴じ製本は、表紙と中身を揃えて重ね、中央を針金（ステッチ）で綴じ、二つ折りにして仕上げるため、週刊誌、漫画雑誌、パンフレット等で多く用いられる。具体的には、中綴じ製本では、冊子を開いた状態の記録紙（通常１枚で４ページ分）が重ね合わせられ（丁合い）、表紙の外側（背）から冊子中央に沿って針金によって綴じられ、二つ折りにされ、仕上がりに小口が断裁される。
【０００７】
中綴じ製本の場合、記録紙に複写される画像は、１ページから最終ページに至るまで、同じ見開き方向で順序良く整列されなければならない。そのため、記録紙の枚数により、ページの配置を調整することが必要である。そこで、従来、原稿画像の読み取り順に応じて、画像情報をページメモリに記憶し、ページ数による記録画像の分割数等に応じて画像を並べ替える処理（面付け）を行っていた。そうすることにより、見開き状態の画像が記録紙に形成される。
【０００８】
また、中綴じ製本では、二つ折りにされた状態で断裁されるため、ページ数が多い場合、冊子中央のページは、冊子外側（表紙側）のページに比べて、ページ幅が狭くなる。さらに、冊子外側のページは、記録紙自体の厚みの影響によりページ中央の折り目（のど）近傍の画像が見難くなる。
【０００９】
そこで、用紙のサイズや坪量等に応じてクリープ量を設定し、画像記録領域を自動で調整する技術が提案されている（例えば、特許文献１参照。）。
【００１０】
ここで、クリープ量とは、記録紙の束が中央で綴じられ二つ折りにされる際に、仕上がり時に冊子外側となるページについて、ページ中央の折り目近傍の画像が見難くなることを避けるために、画像記録領域を、冊子外側のページになるにつれて、のど側から小口側に向かって移動させる移動量をいう。また、坪量とは、紙の厚さや品質を示す単位であり、1平方メートル当たりの紙の重量をいう。
【００１１】
上記特許文献１に記載の技術は、中綴じ製本をする際に、記録紙の総枚数とクリープ量に基づき、記録紙１枚毎に１ページ当たりの画像記録領域を設定することで、画像情報を適切な位置に記録するものである。
【特許文献１】特開２００６−２６３９７０号公報
【発明の開示】
【発明が解決しようとする課題】
【００１２】
しかしながら、上記特許文献１に記載の技術では、ページに応じて各記録紙毎のクリープ量は相違するものの、同一記録紙に記録される画像情報について、クリープ量は同一であるため、ハガキやＣＤポケット等（差込媒体）をページの間に差し込む場合には対応することができなかった。
【００１３】
本発明は上記従来技術の課題に鑑みてなされたものであり、本発明の目的は、記録紙の束を中綴じして冊子を製本する際に、ハガキやＣＤポケット等を差し込む場合であっても、記録紙の最適な位置に画像を形成することができる画像形成装置、画像形成プログラム方法および画像形成方法を提供することにある。
【課題を解決するための手段】
【００１４】
本発明の上記目的は、下記の手段によって達成される。
【００１５】
（１）２頁分の画像を１枚の記録紙の所定の領域に形成し、当該記録紙を束ね中央の折り目に沿って綴じて冊子を作成するための画像形成装置であって、画像が形成される記録紙の画像記録領域を、冊子中央頁から外側頁に行くにつれて、記録紙中央の折り目から外側に向かって所定間隔で移動させて算出する画像記録領域算出手段と、冊子の頁間に差込媒体が差し込まれる場合、当該差込媒体が差し込まれる頁以降の冊子外側頁に対して、前記画像記録領域を補正し、前記画像記録領域を決定する補正手段と、決定された前記画像記録領域に画像を形成する画像形成手段とを有することを特徴とする画像形成装置。
【００１６】
（２）前記補正手段は、前記差込媒体が差し込まれる頁以降の冊子外側頁に対して、前記画像記録領域を前記差込媒体の厚さに応じて更に移動させる上記（１）に記載の画像形成装置。
【００１７】
（３）前記補正手段は、前記画像記録領域を移動させたときの移動量が閾値以上である場合、移動量を一定値に固定する上記（１）または（２）に記載の画像形成装置。
【００１８】
（４）２頁分の画像を１枚の記録紙の所定の領域に記録し、当該記録紙を束ね中央の折り目に沿って綴じて冊子を作成するための画像形成装置によって実行されるプログラムであって、画像が形成される記録紙の画像記録領域を、冊子中央頁から外側頁に行くにつれて、記録紙中央から外側に向かって所定間隔で移動させて算出する手順（ａ）と、冊子の頁間に差込媒体が差し込まれる場合、当該差込媒体が差し込まれる頁以降の冊子外側頁に対して、前記画像記録領域を補正し、前記画像記録領域を決定する手順（ｂ）と、決定された前記画像記録領域に画像を形成する手順（ｃ）とを画像形成装置に実行させることを特徴とする画像形成プログラム。
【００１９】
（５）上記（４）に記載の画像形成プログラムを記録したコンピュータ読み取り可能な記録媒体。
【００２０】
（６）２頁分の画像を１枚の記録紙の所定の領域に記録し、当該記録紙を束ね中央の折り目に沿って綴じて冊子を作成するための画像形成方法であって、画像が形成される記録紙の画像記録領域を、冊子中央頁から外側頁に行くにつれて、記録紙中央から外側に向かって所定間隔で移動させて算出するステップ（ａ）と、冊子の頁間に差込媒体が差し込まれる場合、当該差込媒体が差し込まれる頁以降の冊子外側頁に対して、前記画像記録領域を補正し、前記画像記録領域を決定するステップ（ｂ）と、決定された前記画像記録領域に画像を形成するステップ（ｃ）とを有することを特徴とする画像形成方法。
【発明の効果】
【００２１】
本発明では、記録紙の束を中綴じして冊子を製本する際に、ハガキやＣＤポケット等を差し込む場合であっても、記録紙の最適な位置に画像を形成することができる。
【発明を実施するための最良の形態】
【００２２】
以下、本発明の実施の形態を、図面を参照して詳細に説明する。
【００２３】
図１は、本実施形態に係る画像形成装置を用いた印刷システムの構成を概略的に示す構成図である。
【００２４】
本実施形態にかかる印刷システムは、ＰＣ（パーソナルコンピュータ）１と、画像形成装置２とを備え、これらはネットワーク３を介して相互に通信可能に接続されている。
【００２５】
ネットワーク３は、例えば、イーサネット（登録商標）、トークンリング、およびＦＤＤＩ等の規格によりコンピュータやネットワーク機器同士を接続したＬＡＮ、またはＬＡＮ同士を専用線で接続したＷＡＮ等の各種のネットワークからなる。なお、ネットワーク３に接続される機器の種類および台数は、図１に示される例に限定されない。
【００２６】
図２は、図１に示す画像形成装置の回路構成を示すブロック図である。
【００２７】
画像形成装置２は、電子写真方式の複写機であり、自動原稿送装置４１および後処理装置４２を装備し、中綴じ製本を行う。
【００２８】
画像形成装置２は、ＣＰＵ２１、電源回路２２、インタフェース（Ｉ／Ｆ）２３、情報制御回路２４、記憶手段２５、表示手段２６、操作入力手段２７、画像読取手段２８、画像形成手段２９、差込手段３０、給排紙手段３１、画像処理回路３２、および駆動制御回路３３を有する
ＣＰＵ２１は、プログラムにしたがって各種処理の制御や各種の演算等を行う。電源回路２２は、電源スイッチが投入されることにより、画像形成装置２全体に通電を行い、電源スイッチが遮断されることにより、通電を遮断する。インタフェース（Ｉ／Ｆ）２３は、画像形成装置２とＰＣ１等の外部機器との間でデータの送受信を行う。Ｉ／Ｆ２３には、ネットワークインタフェースや、シリアルインタフェース、パラレルインタフェース、無線通信インタフェース等の各種ローカル接続インタフェース等が用いられる。
【００２９】
情報制御回路２４は、Ｉ／Ｆ２３を介して取得する印刷ジョブデータを記憶手段２５に記憶し、必要な場合には、表示手段２７に情報を表示させてユーザからの入力を促すための回路である。記憶手段２５は、画像を形成するために必要な画像データ、画像情報や印刷条件の設定情報を含む印刷ジョブデータ、および各種処理を実行するための制御プログラムなどを記憶する。
【００３０】
操作入力手段２６は、テンキー、スタートボタン、リセットキーなどの操作ボタンである。ユーザは、操作入力手段２６を操作することにより、各種操作の入力を行う。表示手段２７は、操作内容や画像形成装置２の動作状態などの各種情報を表示する表示パネルである。ユーザは、表示手段２６により表示される操作内容に応じて、操作入力手段２６の操作を行う。なお、表示手段２７は、操作内容を表示するだけでなく、ユーザからの入力を受け付けるタッチパネル方式であってもよい。
【００３１】
画像読取手段２８は、原稿台の所定の読み取り位置にセットされた原稿または自動原稿搬送装置４１により所定の読み取り位置に搬送された原稿に、蛍光ランプ等の光源で光を当て、その反射光をＣＣＤイメージセンサ等の撮像装置で光電変換して、その電気信号から画像データ（ビットマップデータ）を生成する。
【００３２】
画像形成手段２９は、記憶手段２５に記憶される画像データを、電子写真方式により帯電、露光、現像、転写および定着の各工程を経て記録紙に印刷して排出する。差込手段３０は、ハガキやＣＤポケット等（以下、差込媒体という）を所定のページに差し込む。給排紙手段３１は、給紙カセットに載置される記録紙を画像形成手段２９に給紙し、画像形成手段２９で画像形成された記録紙を排紙する。
【００３３】
画像処理回路３２は、画像読取手段２８によって生成された画像データを記憶手段２５に記憶させるための回路である。駆動制御回路３３は、画像形成手段２９、画像読取手段２８、給排紙手段３１および後処理装置５０を制御し、画像データを適切に処理するための回路である。
【００３４】
自動原稿搬送装置４１は、複数枚の原稿を一枚ずつ所定の読み取り位置まで自動で搬送する。後処理装置４２は、画像形成装置２から排紙された転写紙に対して、カバーシート挿入やステープル、折り畳み、ソート等の後処理を行う。
【００３５】
図３は、中綴じ製本における記録紙と差込媒体とを模式的に示す断面図である。図３では、記録紙を実線で示し、差込媒体を斜線で示し、記録紙に印刷される画像を破線で示す。また、一点鎖線は記録紙を二つ折りにした際の中心線であり、太線は小口を切り落とす際の断裁線（仕上り線）である（図４についても同様である）。
【００３６】
中綴じ製本は、２ページ分の画像が両面の各領域に記録された記録紙を、ページ中央の折り目（中心線）に沿ってステッチで綴じ二つ折りにし、仕上がりに小口を断裁することにより行われる。
【００３７】
したがって、冊子の表紙側のページは、中央のページに比べて切り落とす幅が狭くなり、小口を断裁した際にページ幅が広くなる。つまり、全ての記録紙について同一の位置に画像を印刷した場合、冊子にした際に中央のページと表紙側のページでずれが生じる。
【００３８】
そこで、画像が小口から同一の位置に印刷されるように、冊子の中央のページから外側のページに行くにつれて、記録紙の中央の折り目から外側に向かって一定の間隔でずらして画像は記録紙に印刷される。
【００３９】
そうすることで、画像は小口から一定の位置に印刷され、表紙付近の画像だけが断裁されたり、冊子の中央のページの画像がのど近傍に印刷されて見難くなることを防ぐことができる。
【００４０】
差込媒体が挿入される場合、挿入されるページ以降にはさらにずれが生じる。図３に示す例では、冊子の中央の記録紙は４枚目まで対称にずれているが、５枚目の記録紙と表紙は、差込媒体によって図中上側のページにさらにずれが生じている。
【００４１】
図４は、差込媒体によるずれを考慮したページ構成を示す図である。
【００４２】
図４は、図３に示す５枚目の記録紙を示しており、記録紙の中心線を境にして左右に画像が印刷される。つまり、図中の左右の四角は、各ページにおいて画像が印刷される領域を示す。
【００４３】
左ページは、差込媒体が挿入されるページ以降のページであり、右ページと比較して小口側に画像が印刷される。そうすることで、差込媒体を挿入することよってずれが生じる場合であっても、画像は小口から一定の位置に印刷される。
【００４４】
図５は、印刷情報を設定する際の操作パネルを示す図であり、操作パネル上には、印刷情報設定画面５０が表示される。なお、画像形成装置２の表示手段２６としての操作パネルは、タッチパネル方式を採用しており、操作内容を表示するだけではなく、ユーザからの入力も受け付ける。
【００４５】
印刷情報設定画面５０は、「出力画像」５１、「出力部数」５２、「用紙設定」５３、「綴じ設定」５４および「クリープ設定」４４の各項目と、ＯＫボタン５６と、Ｃａｎｃｅｌボタン５７とを有する。
【００４６】
「出力画像」５１は、出力する原稿のファイルパスまたはＢＯＸ等を指定するための項目である。「出力部数」５２は、出力する原稿の部数を指定する項目である。「用紙設定」５３は、印刷する記録紙を設定するための項目であり、メニューボタンを用いて選択する。ユーザがメニューボタンを指定することで、図６に示すプルダウンメニューが表示され、ユーザはその中から所望の記録紙を選択する。
【００４７】
「綴じ設定」５４は、印刷された記録紙の綴じ方を設定するための項目であり、メニューボタンを用いて選択する。ユーザがメニューボタンを指定することで、図７に示すプルダウンメニューが表示される。本実施形態では、ユーザは中綴じを選択する。「クリープ設定」５５は、クリープ設定画面６０を表示するための項目であり、綴じ設定で中綴じが選択された場合に有効となる。つまり、クリープ設定は、綴じ設定において中綴じが選択されるまでグレーアウトした状態であり、選択することができない。
【００４８】
ＯＫボタン５６は、印刷情報の設定が完了し、設定を確定して印刷を開始させるためのボタンである。Ｃａｎｃｅｌボタン５７は、印刷情報の設定を中止するためのボタンである。
【００４９】
図８は、クリープを設定する際の操作パネルを示す図である。クリープ設定画面６０は、図５に示すクリープ設定が選択された場合に表示される。
【００５０】
クリープ設定画面６０は、「クリープ量」６１および「差し込み」６２の各設定項目と、ＯＫボタン６３と、Ｃａｎｃｅｌボタン６４とを有する。
【００５１】
「クリープ量」６１は、自動算出と手動算出とが選択可能である。自動算出では、クリープ量は、所定の係数を用いて自動的に算出される。手動算出では、クリープ量は、入力された任意の値に基づいて算出される。手動算出においてクリープ量は、実験等により予め求めることができ、自動算出に比べて精度が高くなる。
【００５２】
手動算出が選択された場合、テキストボックスが入力可能な状態になり、ユーザは、テキストボックスに所望の値を入力する。「差し込み」６２は、差込媒体を挿入するための項目である。差し込み有りが選択された場合、差し込み数が入力可能な状態になり、ユーザは、差し込み箇所の数を入力する。
【００５３】
ＯＫボタン６３は、クリープ設定が完了し、設定を確定させるためのボタンである。差し込み有りの場合、操作パネルには差込情報設定画面７０が表示される。Ｃａｎｃｅｌボタン６４は、クリープ情報の設定を中止するためのボタンである。Ｃａｎｃｅｌボタン６４が選択された場合、操作パネルには印刷情報設定画面５０が表示される。
【００５４】
図９は、差込情報を設定する際の操作パネルを示す図である。
【００５５】
差込情報設定画面７０は、「差込箇所」７１、「差込方法」７２、「トレイ選択」７３、「差込厚さ」７４および「差込位置」７５の各設定項目と、ＯＫボタン７６と、Ｃａｎｃｅｌボタン７７とを有する。
【００５６】
「差込箇所」７１は、差し込む箇所を示す。ユーザが最初に差込情報を設定する場合、差込箇所７１は「１」であり、差込情報設定が完了しＯＫボタンが選択されると、差込箇所７１は自動的に「２」になる。以降、差込箇所７１は、差込箇所の数に応じて、各差込情報設定画面における設定が完了するごとに増加する。つまり、ユーザは、差込箇所が複数ある場合、各差込箇所に応じた差込情報を設定しなければならない。
【００５７】
「差込方法」７２は、手動と自動が選択可能である。手動が選択された場合、差込媒体は印刷完了後に作業者により差し込まれる。自動が選択された場合、差込媒体は印刷時に自動で差し込まれる。「トレイ選択」７３は、差込媒体を引くトレイを選択するための項目であり、差込方法で自動が選択された場合に設定可能な状態になる。ユーザがメニューボタンを指定することで、図１０に示すプルダウンメニューが表示され、ユーザは所望のトレイを選択する。
【００５８】
「差込厚さ」７４は、差込媒体の厚さを入力するための項目であり、差込方法で自動が選択された場合に入力可能な状態になる。「差込位置」７５は、差込媒体を挿入する位置を特定するための項目である。ユーザは、テキストボックスに差し込む直前のページ番号、および差し込む直後のページ番号を入力することで、差込媒体を挿入する位置を特定する。または、差込媒体を挿入する位置は、シートによって特定することもできる。
【００５９】
ＯＫボタン７６は、差込情報設定が完了し、設定を確定させるためのボタンである。差込箇所が複数ある場合、操作パネルは次の箇所の差込情報設定画面７０を表示する。Ｃａｎｃｅｌボタン７７は、差込情報の設定を中止するためのボタンである。Ｃａｎｃｅｌボタンが選択された場合、操作パネルはクリープ設定画面６０を表示する。
【００６０】
図１１〜１３は、画像形成装置の処理の手順を示すフローチャートである。なお、図１１〜１３のフローチャートにより示されるアルゴリズムは、画像記憶装置の記憶手段２５に制御プログラムとして記憶されており、ＣＰＵ２１により読み出されて実行される。
【００６１】
印刷情報設定が行われる（ステップＳ１）。ユーザは、画像形成装置２の操作パネルに、図５に示す印刷情報設定画面５０を表示させ、印刷情報を設定する。
【００６２】
クリープ設定が行われる（ステップＳ２）。ユーザは、印刷情報設定画面５０においてクリープ設定５５を選択し、図８に示すクリープ設定画面６０を表示させ、クリープを設定する。
【００６３】
クリープ量を自動で算出するか否かが判断される（ステップＳ３）。画像形成装置２は、クリープ設定において、クリープ量６１について「自動算出」が選択されたか「手動算出」が選択されたかを判断する。
【００６４】
自動算出が選択されたと判断された場合（Ｓ３：Ｙｅｓ）、クリープ量が自動で算出される（ステップＳ４）。クリープ量を自動で算出する方法では、クリープ量Ｃ＝計数Ａ×計数Ｂ×基準クリープ量ＣＰにより算出する。ここで、計数Ａは紙種に対応した値であり、計数Ｂは坪量に対応した値である。なお、詳しくは、特開２００６−２６３９７０号公報に記載されている。
【００６５】
手動算出が選択されたと判断された場合（Ｓ３：Ｎｏ）、クリープ量が手動で入力される（ステップＳ５）。クリープ量を手動で入力する方法では、ユーザは、記録紙データ（紙種、坪量、サイズ等）と環境情報（温度、湿度等）とに応じて最適なクリープ量を実験等により求めておき、記録紙データと環境情報に基づいて入力するクリープ量を算出する。つまり、画像形成装置毎または画像形成動作時に生じる記録紙に対する誤差や、湿度の影響による記録紙の伸びや縮みを勘案して、記録紙が折り畳まれたときに最適な状態になるように、予め実験等によりクリープ量を算出する。
【００６６】
差し込み有りか否かが判断される（ステップＳ６）。画像形成装置２は、クリープ設定において、差し込み６２について「有り」が選択されたか「無し」が選択されたかを判断する。
【００６７】
差し込み数が入力される（ステップＳ７）。ユーザは、クリープ設定画面６０において、差し込み数を入力し、ＯＫボタン６３を選択してクリープ設定を確定させる。
【００６８】
差込情報設定が行われる（ステップＳ８）。ユーザは、クリープ設定画面６０においてＯＫボタンを選択し、図９に示す差込情報設定画面７０を表示させ、差込情報を設定する。
【００６９】
差込情報設定が終了したが否かが判断される（ステップＳ９）。画像形成装置２は、すべての差込箇所について差込情報が設定されたか否かを判断する。
【００７０】
差込情報設定が終了していないと判断された場合（Ｓ９：Ｎｏ）、ステップＳ８に戻り、次の箇所の差込情報設定が行われる。
【００７１】
差込情報設定が終了したと判断された場合（Ｓ９：Ｙｅｓ）、処理はステップＳ１０に進む。ここで、差込情報は記憶手段２５に記憶される。図１４は差込情報のデータ構造を示す。
【００７２】
ステップＳ６において、差し込みが無いと判断された場合（Ｓ６：Ｎｏ）、クリープ量が固定されているか否か判断される（ステップＳ１０）。
【００７３】
クリープ量が固定されていないと判断された場合（Ｓ１０：Ｎｏ）、クリープ量が所定量以上であるか否かが判断される（ステップＳ１１）。クリープ量が所定量以上であると判断された場合（Ｓ１１：ＹＥＳ）、クリープ量が固定され（ステップＳ１２）、処理はステップＳ１３に進む。つまり、クリープ量が限界値以上であるため、画像記憶領域は小口側に移動され、画像が切れてしまうことを防止するため、クリープ量が限界値に達した場合、クリープ量は一定の値に設定される。
【００７４】
また、ステップＳ１０において、クリープ量が固定されていると判断された場合も（Ｓ１０：Ｙｅｓ）、処理はステップＳ１３に進む。
【００７５】
一方、ステップＳ１１において、クリープ量が所定量未満であると判断された場合（Ｓ１１：Ｎｏ）、処理はそのままステップＳ１３に進む。つまり、クリープ量は一定の値に固定されることなく、ステップＳ４またはＳ５で算出された値が用いられる。
【００７６】
画像記憶領域が決定される（ステップＳ１３）。画像形成装置２は、クリープ量に基づいて、画像を記録紙に印刷する範囲を決定する。
【００７７】
画像形成が行われる（ステップＳ１４）。画像形成装置２は、画像形成手段２９により記録紙の画像形成領域に画像を印刷する。
【００７８】
クリープ量が固定されているか否か判断される（ステップＳ１５）。
【００７９】
クリープ量が固定されていないと判断された場合（Ｓ１５：Ｎｏ）、クリープ量が加算される（ステップＳ１６）。ステップＳ４またはＳ５で算出されたクリープ量に対して、同一値を加算し、次の記録紙に画像を記録するときのクリープ量とする。
【００８０】
一方、クリープ量が固定されていると判断された場合（Ｓ１５：Ｙｅｓ）、クリープ量は加算されることなく、処理は次のステップＳ１７に進む。つまり、クリープ量を加算すると限界値を超えるため、クリープ量は固定されており、次の記録紙に対しても同一のクリープ量を用いることとなる。
【００８１】
差込位置であるか否かが判断される（ステップＳ１７）。画像形成装置２は、記録手段２５に記憶された図１４に示す差込情報を読み出し、画像を印刷した記録紙が差込位置であるか否かを判断する。
【００８２】
差込位置であると判断された場合（Ｓ１７：ＹＥＳ）、自動差込であるか否かが判断される（ステップＳ１８）。画像形成装置２は、記録手段２５に記憶された図１４に示す差込情報を読み出し、差込方法が自動であるか手動であるか否かを判断する。
【００８３】
自動差込であると判断された場合（Ｓ１８：ＹＥＳ）、差込動作を行い（ステップＳ１９）、次のステップＳ２０に進む。画像形成装置２は、差込手段３０により差込媒体を記録紙に差し込む。自動差込でないと判断された場合（Ｓ１８：ＮＯ）、差込動作を行うことなく次のステップＳ２０に進む。
【００８４】
クリープ量が固定されているか否か判断される（ステップＳ２０）。クリープ量が固定されていない場合（Ｓ２０：ＮＯ）、クリープ量は補正値で修正される（ステップＳ２１）。つまり、次の記録紙に画像を印刷するときのクリープ量に対して、差込媒体によるずれを考慮して補正が行われる。具体的に、差込媒体が差し込まれるページ以降の冊子の外側のページに対して、差込媒体の厚さに応じて画像記録領域が更に移動される。
【００８５】
一方、ステップＳ１７において、差込位置でないと判断された場合（Ｓ１７：ＮＯ）差込動作やクリープ量の補正をすることなく、設定枚数が終了したか否かが判断される（ステップＳ２２）。
【００８６】
設定枚数が終了していないと判断された場合（Ｓ２２：ＮＯ）、ステップＳ１０に戻り、次の記録紙について、クリープ量を判断し画像形成が行われる。つまり、画像形成装置２は、次の記録紙に画像を印刷する処理を行う。
【００８７】
設定枚数が終了したと判断された場合（Ｓ２２：ＹＥＳ）、手動差込か否かが判断される（ステップＳ２３）。つまり、１ページから最終ページまでの画像が記録紙に印刷された場合、差込方法が判断される。
【００８８】
手動差込でないと判断された場合（Ｓ２３：ＮＯ）、綴じ動作が行われる（ステップＳ２４）。画像形成装置２は、後処理装置４２に中綴じ動作を指示する。記録紙は重ねられ丁合いされ、中央線に沿って背から針金で綴じられる。
【００８９】
折り動作が行われる（ステップＳ２５）。後処理装置４２は、中綴じがなされた記録紙の束を、中心線に沿って二つ折りにする。
【００９０】
断裁動作が行われる（ステップＳ２６）。後処理装置４２は、記録紙の束を冊子に仕上げるため、小口を断裁する。
【００９１】
一方、ステップＳ２３において、手動差込であると判断された場合（Ｓ２３：ＹＥＳ）、手動による差し込みを行った（ステップ２８）後で、断裁が行われる（ステップ２６）。つまり、全てのページに画像が印刷された記録紙の束には、作業者により所定のページに差込媒体が差し込まれ、記録紙の束は中綴じされ、二つ折りに折られる。そうすることで、より精度の高い冊子を作成することができる。
【００９２】
設定部数が終了したか否かが判断される（ステップＳ２７）。設定部数が終了していないと判断された場合（Ｓ２７：ＮＯ）、ステップＳ１０に戻り、次の冊子について、クリープ量を判断し画像形成が行われる。設定部数が終了したと判断された場合（Ｓ２７：ＹＥＳ）、処理は終了する。
【００９３】
本実施形態によれば、自動で差込処理を行う場合、差込媒体によるずれを考慮して、画像形成から中綴じ冊子の製本までを行うことができる。また、手動で差込処理を行う場合であっても、差込媒体によるずれを考慮して、画像を形成することができる。したがって、従来のように、ユーザが、面付けソフトにより、差込媒体によるずれを考慮して画像記録領域を調整する必要がなくなる。
【００９４】
さらに、本実施形態では、画像記録領域をページ単位で管理してクリープ量を算出するため、記録紙の画像記録領域が左右対称でない場合であっても有効である。
【００９５】
本発明は、上記した実施の形態のみに限定されるものではなく、特許請求の範囲内において、種々改変することができる。
【００９６】
本実施形態の画像処理装置における処理は、専用のハードウェア回路、またはプログラムされたコンピュータのいずれによっても実現することが可能である。上記プログラムは、たとえばフレキシブルディスクやＣＤ−ＲＯＭなどのコンピュータ読み取り可能な記録媒体によって提供されてもよいし、インターネット等のネットワークを介してオンラインで提供されてもよい。この場合、コンピュータ読み取り可能な記録媒体に記録されたプログラムは、通常、ハードディスク等の記憶部に転送されて記憶される。また、上記プログラムは、単独のアプリケーションソフトとして提供されてもよいし、装置の一機能としてその装置のソフトウェアに組み込まれてもよい。
【図面の簡単な説明】
【００９７】
【図１】本実施形態に係る画像形成装置を用いた印刷システムの構成を概略的に示す構成図である。
【図２】図１に示す画像形成装置の回路構成を示すブロック図である。
【図３】中綴じ製本における記録紙と差込媒体とを模式的に示す断面図である。
【図４】差込媒体によるずれを考慮したページ構成を示す図である。
【図５】印刷情報を設定する際の操作パネルを示す図である。
【図６】用紙設定のプルダウンメニューの一例を示す図である。
【図７】綴じ設定のプルダウンメニューの一例を示す図である。
【図８】クリープを設定する際の操作パネルを示す図である。
【図９】差込情報を設定する際の操作パネルを示す図である。
【図１０】トレイ選択のプルダウメニューの一例を示す図である
【図１１】画像形成装置の処理の手順を示すフローチャートである。
【図１２】画像形成装置の処理の手順を示すフローチャートである。
【図１３】画像形成装置の処理の手順を示すフローチャートである。
【図１４】差込情報のデータ構造の一例を示す図である。
【符号の説明】
【００９８】
１    ＰＣ、
２    画像形成装置、
３    ネットワーク、
４１    自動原稿搬送装置、
４２    後処理装置、
５０    印刷情報設定画面、
６０    クリープ設定画面、
７０    差込情報設定画面。
【図１】
2010111015.tif 000003
【図２】
2010111015.tif 000004
【図３】
2010111015.tif 000005
【図４】
2010111015.tif 000006
【図５】
2010111015.tif 000007
【図６】
2010111015.tif 000008
【図７】
2010111015.tif 000009
【図８】
2010111015.tif 000010
【図９】
2010111015.tif 000011
【図１０】
2010111015.tif 000012
【図１１】
2010111015.tif 000013
【図１２】
2010111015.tif 000014
【図１３】
2010111015.tif 000015
【図１４】
2010111015.tif 000016